(57)【要約】【課題】ケーブル管理アームをラック、シャーシ、又はスライドレールに迅速に連接して固定し、或いは取り外すことができるケーブル管理アームの連接デバイスを提供する。【解決手段】ケーブル管理アーム10の連接デバイスは、固定台16、連接部品18、嵌合部品20を備え、固定台16は、突出部26を備え、連接部品18は、接触制限部32を備え、嵌合部品20は、連接部品18に接続し、嵌合部品20は、嵌合部40及び弾性部42を備え、弾性部42は、連接部品18の接触制限部32において接触制限し、連接部品18は、ケーブル管理アーム10に接続し、固定台16は、第一レール22に接続し、連接部品18が固定台16を連接すると、弾性部42は弾力を提供し、これにより、嵌合部40は、固定台16の突出部26を嵌合し、連接部品18は、固定台16に定位される。【選択図】図２
0003176451.tif 000002
【実用新案登録請求の範囲】
【請求項１】
固定台、連接部品、嵌合部品を備える、ケーブル管理アームの連接デバイスであって、
前記固定台は突出部を備え、
前記連接部品はケーブル管理アームに接続し、前記連接部品は接触制限部を備え、
前記嵌合部品は前記連接部品に接続し、前記嵌合部品は嵌合部及び弾性部を備え、前記弾性部は前記連接部品の接触制限部において接触制限し、
前記連接部品が前記固定台を連接すると、前記弾性部は弾力を提供し、これにより前記嵌合部は前記固定台の突出部を嵌合し、前記連接部品は前記固定台に定位されることを特徴とするケーブル管理アームの連接デバイス。
【請求項２】
前記固定台は一対の屈折部を備え、
前記一対の屈折部は通路を定義し、前記連接部品を前記固定台の通路に通し設置することを特徴とする請求項１に記載のケーブル管理アームの連接デバイス。
【請求項３】
前記連接部品は一対のブロック部を備え、
前記一対のブロック部は前記固定台の一対の屈折部に対応し、
前記連接部品が前記固定台の通路に入ると、前記一対のブロック部は前記一対の屈折部に接触して停止することを特徴とする請求項２に記載のケーブル管理アームの連接デバイス。
【請求項４】
前記連接部品は操作窓口を備え、
前記嵌合部品は操作制御部を備え、前記連接部品の操作窓口に対応することを特徴とする請求項１に記載のケーブル管理アームの連接デバイス。
【請求項５】
前記ケーブル管理アームの連接デバイスはさらに、ナットを備え、前記嵌合部品の操作制御部に連接し、しかも前記ナットの一部分は前記連接部品の操作窓口に位置し露出することを特徴とする請求項４に記載のケーブル管理アームの連接デバイス。
【請求項６】
前記連接部品は嵌合接続窓口を備え、前記嵌合部品の嵌合部は前記連接部品の嵌合接続窓口内に位置することを特徴とする請求項１に記載のケーブル管理アームの連接デバイス。
【請求項７】
前記連接部品の接触制限部は窓口の形態で配置し、これにより前記弾性部はその窓口に対応して進入し、内壁に接触して停止することを特徴とする請求項１に記載のケーブル管理アームの連接デバイス。
【請求項８】
ケーブル管理アーム、第一レール、第一固定台、第一連接部品、第一嵌合部品、第二レール、第二固定台、第二連接部品、第二嵌合部品を備える、ケーブル管理システムであって、
前記ケーブル管理アームは第一端及び第二端を備え、
前記第一固定台は前記第一レールに固定し、前記第一固定台は突出部を備え、
前記第一連接部品は前記ケーブル管理アームの第一端に接続し、前記第一連接部品は接触制限部を備え、
前記第一嵌合部品は前記第一連接部品に接続し、前記第一嵌合部品は嵌合部及び弾性部を備え、前記第一嵌合部品の弾性部は前記第一連接部品の接触制限部に接触して制限し、
前記第二レールは前記第一レールに対応してスライド移動が可能で、
前記第二固定台は前記第二レールに接続し、前記第二固定台は突出部を備え、
前記第二連接部品は前記ケーブル管理アームの第二端に接続し、前記第二連接部品は接触制限部を備え、
前記第二嵌合部品は前記第二連接部品に接続し、前記第二嵌合部品は嵌合部及び弾性部を備え、前記第二嵌合部品の弾性部は前記第二連接部品の接触制限部に接触して制限し、
こうして前記第一連接部品が前記第一固定台に連接すると、前記第一嵌合部品の弾性部は弾力を提供し、前記第一嵌合部品の嵌合部は前記第一固定台の突出部を嵌合し、これによりケーブル管理アームの第一端は前記第一連接部品により前記第一レールに定位され、
こうして前記第二連接部品が前記第二固定台に連接すると、前記第二嵌合部品の弾性部は弾力を提供し、前記第二嵌合部品の嵌合部は前記第二固定台の突出部を嵌合し、これによりケーブル管理アームの第二端は前記第二連接部品により前記第二レールに定位されることを特徴とするケーブル管理システム。
【請求項９】
前記各連接部品は操作窓口を備え、
前記各嵌合部品は操作制御部を備え、前記各連接部品の操作窓口に対応し、及び前記各嵌合部品の操作制御部はそれぞれ１個のナットに連接し、しかも前記各ナットの一部分は前記各連接部品の操作窓口に位置し露出することを特徴とする請求項８に記載のケーブル管理システム。
【請求項１０】
前記第一固定台は一対の第一屈折部を備え、
前記一対の第一屈折部は通路を定義し、前記第一レールに接続し、
前記第二固定台は一対の第二屈折部を備え、
前記一対の第二屈折部は通路を定義し、
これにより前記第一連接部品と前記第二連接部品とは前記第一固定台の通路と前記第二固定台の通路にそれぞれ進入し設置されることを特徴とする請求項８に記載のケーブル管理システム。
【考案の詳細な説明】
【技術分野】
【０００１】
本考案はケーブル管理アームの連接デバイスに関し、特にケーブル管理アームを、ラック、シャーシ、或いはスライドレールに迅速に連接して固定し、或いは取り外すことができるケーブル管理アームの連接デバイスに関する。
【背景技術】
【０００２】
Doerr氏等が考案した特許文献１の「Reversible cable support arm」は、図７に示すように、ケーブルサポートアーム（cable support arm）24を、ガイドレール（rails）108に設置する。ケーブルサポートアーム24一端のマウンティングブラケット（mounting bracket)92の下部（lower portion)100には、複数のキーホールスロット（keyhole slots)94及びプランジャー（plunger)98を設置する。ガイドレールの内スライド部品（inner slide member)112は、１個或いは多数の突出部品（boss members)116及び孔（aperture）を備える。ケーブルサポートアーム24は、各複数のキーホールスロット94と内スライド部品112の各突出部品116により連接され、ケーブルサポートアーム24のプランジャー98を、内スライド部品112の孔に挿入して定位する。これにより、ケーブルサポートアーム24一端のマウンティングブラケット92は、内スライド部品112に固定される。
【０００３】
ケーブルサポートアーム24の反対端は、アタッチメントメカニズム（attachment mechanism）52により、ガイドレールの外スライド部品（outer slide member）110に連接される。外スライド部品110は、プランジャー（plunger）132を備える。アタッチメントメカニズム52は、固定部（securing portion）120を備える。固定部120は、孔（aperture）134と外スライド部品110のプランジャー132とを連接し、これによりケーブルサポートアーム24の反対端は、外スライド部品110に固定して接続される。
【０００４】
一対のガイドレールにより、ラックマウントシステム（rack mount system）10のラックハウジング（rack housing）22内に設置すると、一対のガイドレールには、デバイス（device12、14、16、18、或いは20）を設置することができる。しかし、ケーブルサポートアーム24とガイドレールとの間の連接は、プランジャー98、132を、対応物件の孔内に挿入して固定し、しかもプランジャー98、132に相対するデバイスは、一種の突出物として設置される。これでは、デバイスの、ラックハウジング内における使用可能スペースを圧迫してしまう。デバイスの使用可能スペースを減らさず、或いは使用可能スペースを拡大しようとするなら、上記したケーブルサポートアームとガイドレールとの間の連接手段に、改良を加える必要がある。
本考案は、従来のケーブル管理アームの連接デバイスの上記した欠点に鑑みてなされたものである。
【先行技術文献】
【特許文献】
【０００５】
【特許文献１】米国特許第7,473,846号明細書
【考案の概要】
【考案が解決しようとする課題】
【０００６】
本考案が解決しようとする課題は、ケーブル管理アームのラック、シャーシ、或いはスライドレール上からの取り外し、或いは組み立てにおける問題を解決し、操作を便利、かつ迅速にすることができるケーブル管理アームの連接デバイスを提供することである。
【課題を解決するための手段】
【０００７】
上記課題を解決するため、本考案は下記のケーブル管理アームの連接デバイスを提供する。
ケーブル管理アームの連接デバイスは、固定台、連接部品、嵌合部品を備え、該固定台は、突出部を備え、該連接部品は、ケーブル管理アームに接続し、接触制限部を備え、該嵌合部品は、該連接部品に接続し、該嵌合部品は、嵌合部及び弾性部を備え、該弾性部は、該連接部品の接触制限部において接触制限し、該連接部品が、該固定台を連接すると、該弾性部は弾力を提供し、これにより該嵌合部は、該固定台の突出部を嵌合し、該連接部品は、該固定台に定位される。
好ましくは、該固定台は、一対の屈折部を備え、該一対の屈折部は、通路を定義し、該連接部品を該固定台の通路に通し設置する。
好ましくは、該連接部品は、一対のブロック部を備え、該一対のブロック部は、該固定台の一対の屈折部に対応し、該連接部品が、該固定台の通路に入ると、該一対のブロック部は、該一対の屈折部に接触して停止する。
好ましくは、該連接部品は、操作窓口を備え、該嵌合部品は、操作制御部を備え、該連接部品の操作窓口に対応する。
好ましくは、さらにナットを備え、該嵌合部品の操作制御部に連接し、しかも該ナットの一部分は、該連接部品の操作窓口に位置し露出する。
好ましくは、該連接部品は、嵌合接続窓口を備え、嵌合部品の嵌合部は、連接部品の嵌合接続窓口内に位置する。
好ましくは、該連接部品の接触制限部は、窓口の形態で配置し、これにより該弾性部は、その窓口に対応して進入し、内壁に接触して停止する。
【０００８】
本考案のケーブル管理システムは、ケーブル管理アーム、第一レール、第一固定台、第一連接部品、第一嵌合部品、第二レール、第二固定台、第二連接部品、第二嵌合部品を備え、該ケーブル管理アームは、第一端及び第二端を備え、該第一固定台は、該第一レールに固定し、該第一固定台は、突出部を備え、該第一連接部品は、該ケーブル管理アームの第一端に接続し、該第一連接部品は、接触制限部を備え、該第一嵌合部品は、該第一連接部品に接続し、該第一嵌合部品は、嵌合部及び弾性部を備え、該第一嵌合部品の弾性部は、該第一連接部品の接触制限部に接触して制限し、該第二レールは、該第一レールに対応してスライド移動が可能で、該第二固定台は、該第二レールに接続し、該第二固定台は、突出部を備え、該第二連接部品は、該ケーブル管理アームの第二端に接続し、第二連接部品は、接触制限部を備え、該第二嵌合部品は、該第二連接部品に接続し、該第二嵌合部品は、嵌合部及び弾性部を備え、該第二嵌合部品の弾性部は、該第二連接部品の接触制限部に接触して制限し、こうして該第一連接部品が該第一固定台に連接すると、該第一嵌合部品の弾性部は、弾力を提供し、該第一嵌合部品の嵌合部は、該第一固定台の突出部を嵌合し、これによりケーブル管理アームの第一端は、該第一連接部品により該第一レールに定位され、こうして該第二連接部品が該第二固定台に連接すると、該第二嵌合部品の弾性部は、弾力を提供し、該第二嵌合部品の嵌合部は、該第二固定台の突出部を嵌合し、これによりケーブル管理アームの第二端は、該第二連接部品により該第二レールに定位される。
好ましくは、各連接部品は、操作窓口を備え、該各嵌合部品は、操作制御部を備え、該各連接部品の操作窓口に対応し、及び該各嵌合部品の操作制御部は、それぞれ１個のナットに連接し、しかも該各ナットの一部分は、該各連接部品の操作窓口に位置し露出する。
好ましくは、該第一固定台は、一対の第一屈折部を備え、該一対の第一屈折部は、通路を定義し、該第一レールに接続し、該第二固定台は、一対の第二屈折部を備え、該一対の第二屈折部は、通路を定義し、これにより該第一連接部品と前記第二連接部品とは、該第一固定台の通路と該第二固定台の通路にそれぞれ進入し設置される。
【考案の効果】
【０００９】
本考案のケーブル管理アームの連接デバイスは、ケーブル管理アームのラック、シャーシ、或いはスライドレール上からの取り外し、或いは組み立てにおける問題を解決し、操作を便利かつ迅速にすることができる。
【図面の簡単な説明】
【００１０】
【図１】本考案の実施例をケーブル管理アームとスライドレールに運用する配置模式図である。
【図２】本考案の実施例連接デバイスの立体分解図である。
【図３】本考案の実施例連接部品と固定台の設置模式図である。
【図４】本考案の実施例連接部品と固定台の係合ロック定位模式図である。
【図５】本考案の実施例の連接部品が固定台からロック解除され釈放される様子を示す模式図である。
【図６】本考案の実施例第二連接部品と第二固定台の設置模式図である。
【図７】本考案の実施例第二連接部品と第二固定台の係合ロック定位模式図である。
【考案を実施するための形態】
【００１１】
以下に図面を参照しながら本考案の最良の実施形態について詳細に説明する。
【００１２】
本考案実施例のケーブル管理アームの連接デバイスは、図１、２に示す。図１は、本考案実施例をケーブル管理アームとスライドレールに運用する配置模式図で、図２は、本考案連接デバイス主要構成部品の立体分解図である。
【００１３】
図１に示す実施例は、ケーブル管理アーム10を備え、ケーブル（図示なし）整理に用いる複数のケーブル設置バスケット12を設置する。ケーブル管理アーム10は、第一端14a及び第二端14bを備え、第一端14aと第二端14bには、それぞれ連接デバイスを設置する。
【００１４】
ケーブル管理アーム10第一端14aに設置する連接デバイスは、図１に示すように、固定台16、連接部品18、嵌合部品20を備える。固定台16は、ラック或いはスライドレールに連接することができる。本実施例中では、固定台16は、第一レール22に連接し、或いは固定台16と第一レール22とは一体に統合する。
【００１５】
実施例中では、図２、３に示すように、固定台16は、開溝24、及び開溝24内に位置する突出部26を備える。突出部26は、導引斜面28を備える。好ましくは、突出部26は、フック（hook）形状である。この他、固定台16はさらに、一対の屈折部30を備え、一対の屈折部30は、通路31を定義し、連接部品18を通路31内に通し設置する。本実施例中では、一対の屈折部30により第一レール22に固定して接続し、各屈折部30は、凸柱33を形成する。第一レール22は、２個の対応特徴（孔など）を備え、これにより２個の凸柱33を、嵌めてリベット固定する。
【００１６】
連接部品18は、ケーブル管理アーム10の第一端14aに接続する。本実施例中では、連接部品18は、接触制限部32、操作窓口34、嵌合接続窓口36を備える。接触制限部32は、操作窓口34と嵌合接続窓口36の下方に位置する。好ましくは、接触制限部32は、窓口の形態で配置し、窓口内の片側内壁を、接触制限部32とする。この他、連接部品18はさらに、一対のブロック部37を備え、一対のブロック部37は、固定台16の一対の屈折部30に対応して固定される。
【００１７】
嵌合部品20は、可動接続部品38により、連接部品18に接続される。嵌合部品20は、嵌合部40、弾性部42、操作制御部44を備える。嵌合部40は、連接部品18の嵌合接続窓口36内に位置する。弾性部42は、連接部品18の接触制限部32に接触制限する。操作制御部44は、連接部品18の操作窓口34に対応する。一実施例中では、さらにナット46を備え、嵌合部品20の操作制御部44に固定する。しかも、ナット46の一部分は、連接部品18の操作窓口34に位置して露出し、こうして連接部品18の両側は共に、例えば、嵌合部品20の操作制御部44を押して動かすなど、ナット46により操作が便利となる。
【００１８】
ケーブル管理アーム10の第一端14aが連接部品18により第一レール22に連接されると、図４に示すように、嵌合部品20の嵌合部40は、固定台16の開溝24に入る。さらに、嵌合部品20の弾性部42は弾力を提供し、これにより嵌合部品20の嵌合部40は、弾性部42の弾力に反応し、固定台16の突出部26を嵌合し、こうして連接部品18を固定台16に呈する。こうして、ケーブル管理アーム10の第一端14aは、第一レール22上に固定される。この他、連接部品18が固定台16に進入し、連接部品18の一対のブロック部37が固定台16に相対し所定距離の移動を行う時、一対のブロック部37により、固定台16の一対の屈折部30に停止する。
【００１９】
さらに、嵌合部品20の嵌合部40は延伸した垂直片で、固定台16の突出部26の導引斜面28は、嵌合部40を導入し、突出部26に嵌合する。こうして、連接部品18は、固定台16に挿入され、自動的に係合ロックされる。
【００２０】
図５は、本考案実施例の操作模式図である。図に示すように、ケーブル管理アーム10の第一端14aを、第一レール22から取り外そうとする時には、連接部品18と固定台16のロックを解除する。その際には、嵌合部品20のナット46を、押すなどの方式により操作し、嵌合部品20を動かし、嵌合部40を、固定台16の突出部26から離脱させる。これにより簡単に係合を解除し離脱させられ、操作は非常に簡便である。
【００２１】
上記したケーブル管理アーム10第一端14aに設置する連接デバイスにおいて、固定台16、連接部品18、嵌合部品20、ナット46の本案中における名称には、別に「第一」を冠することができる。これにより、下記のケーブル管理アーム10第二端14bに設置する連接デバイスと区別する。この「第一」に関する説明は、本文中では再記載しない。
【００２２】
ケーブル管理アーム10の第二端14bに設置する連接デバイスは、図１に示すように、第二固定台48、第二連接部品50、第二嵌合部品52を備える。第二固定台48は、第二レール54に接続し、第二レール54は、第一レール22に相対してスライド移動を行う。第二連接部品50は、ケーブル管理アーム10の第二端14bに接続する。
【００２３】
図６に示すように、第二固定台48の配置は、前記の固定台16と類似し、開溝56、突出部58、導引斜面60、及び一対の第二屈折部62を備える。一対の第二屈折部62は、通路64を定義し、これにより第二連接部品50は第二固定台48の通路64に進入して設置される。
【００２４】
第二連接部品50の配置は、前記の連接部品18と相同で、接触制限部66、操作窓口68、嵌合接続窓口70、一対のブロック部72を備える。第二嵌合部品52は、もう一つの可動接続部品74により、第二連接部品50に接続する。その配置は、前記の嵌合部品20と相同で、嵌合部76、弾性部78及び操作制御部80を備える。さらに、第二ナット82を備え、第二嵌合部品52の操作制御部80に接続する。第二ナット82の配置は、前記のナット46と相同である。
【００２５】
図７に示すように、第二連接部品50により第二固定台48に連接すると、第二嵌合部品52の弾性部78は弾力を提供する。これにより、第二嵌合部品52の嵌合部76は、第二固定台48の突出部58を対応して嵌合し、ケーブル管理アーム10の第二端14bは、第二連接部品50により、第二レール54に定位される。
【００２６】
ケーブル管理アーム10の第二端14bの、第二レール54からの係合解除方式は、前記のケーブル管理アーム10の第一端14aの、第一レール22からの係合解除操作と相同であるため、再度記述は行わない。
【００２７】
上記したように、本考案の設計により、使用者は、連接部品18及び第二連接部品50の両側において共に、ナット46及び/或いは第二ナット82を操作して動作させることができる。これにより、本考案のケーブル管理アームの連接デバイスは、ラック左側或いは右側に連接するガイドレールに設置することができる。特に、本考案は一切の突出状のプランジャー（plunger）がないため、シャーシ（chassis）を圧縮しケース内の使用可能スペースを減らすことがない。
【００２８】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２９】
本考案は登録要件である新規性を備え、従来の同類製品に比べ十分な進歩性を有し、実用性が高く、社会のニーズに合致しており、産業上の利用価値は非常に大きい。
【符号の説明】
【００３０】
10：ケーブル管理アーム、12：ケーブル設置バスケット、14a：第一端、14b：第二端、16：固定台、18：連接部品、20：嵌合部品、22：第一レール、24：開溝、26：突出部、28：導引斜面、30：屈折部、31：通路、32：接触制限部、33：凸柱、34：操作窓口、36：嵌合接続窓口、37：ブロック部、38：可動接続部品、40：嵌合部、42：弾性部、44：操作制御部、46：ナット、48：第二固定台、50：第二連接部品、52：第二嵌合部品、54：第二レール、56：開溝、58：突出部、60：導引斜面、62：屈折部、64：通路、66：接触制限部、68：操作窓口、70：嵌合接続窓口、72：ブロック部、74：可動接続部品、76：嵌合部、78：弾性部、80：操作制御部、82：第二ナット。
【図１】
0003176451.tif 000003
【図２】
0003176451.tif 000004
【図３】
0003176451.tif 000005
【図４】
0003176451.tif 000006
【図５】
0003176451.tif 000007
【図６】
0003176451.tif 000008
【図７】
0003176451.tif 000009